(57)【要約】  スライドオープン式硬質タバコパケットは、包装されたタバコの一群を含んだ少なくとも１つの内パッケージと、内パッケージを収容する少なくとも１つの内箱と、内箱を収容する外箱であって、内箱が外箱の内側に挿入された閉鎖位置と、内箱が外箱から少なくとも部分的に引き出された開放位置との間で内箱をスライドさせうる外箱と、その外方端が外箱の対応部分に接着されると共に、その内方端が内箱の対応部分に接着される接続タブを有する。接続タブは、外箱の後壁をヒンジ蓋の後壁に接続する。【選択図】図６
2015516343.tif 000002
【特許請求の範囲】
【請求項１】
包装されたタバコの一群を含んだ少なくとも１つの内パッケージ（２）と、
前記内パッケージ（２）を収容する少なくとも１つの内箱（３）であって、開口上端（５）と、蓋ヒンジ（３０）に沿って前記内箱（３）にヒンジ結合されて内箱（３）に対し前記開口上端（５）を開閉する開放位置と閉鎖位置との間で回転するヒンジ蓋（２９）と、を有する少なくとも１つの内箱（３）と、
前記内箱（３）を収容する外箱（４）であって、内箱（３）が前記外箱（４）の内側に挿入された閉鎖位置と、内箱（３）が外箱（４）から少なくとも部分的に引き出された開放位置との間で内箱（３）をスライドさせうる外箱（４）と、
前記内箱（３）の部分（３１；３２；９）を前記外箱（４）の対応した部分（１０；４３；１２）に機械的に接続する接続タブ（３４）であって、その外方端（３５）は前記外箱（４）の対応部分（３１；３２；９）に接着されると共に、その内方端（３６）は前記内箱（３）の前記対応部分（１０；４３；１２）に接着される接続タブ（３４）と、を有すると共に、
前記外箱（４）に対する前記内箱（３）のスライド動作が前記ヒンジ蓋（２９）が前記蓋ヒンジ（３０）回りに対応した回転を生じるように、前記接続タブ（３４）は前記内箱（３）の前記ヒンジ蓋（２９）を外箱（４）に接続するような、スライドオープン式硬質タバコパケット（１）であって、
前記接続タブ（３４）は、外箱（４）の後壁（４３）を前記ヒンジ蓋（２９）の後壁（３２）に接続することを特徴とするタバコパケット（１）。
【請求項２】
前記接続タブ（３４）は、初めは前記内箱（３）と前記外箱（４）から分離されており、前記内箱（３）と前記外箱（４）に単純に接着される請求項１に記載のタバコパケット（１）。
【請求項３】
前記内箱（３）と前記外箱（４）は、対応するブランク（１７、２４）を折り畳み、接着することにより形成され、かつ
前記接続タブ（３４）は、初めは前記内箱（３）と前記外箱（４）、即ち２つの前記ブランク（１７、２４）から分離されており、前記内箱（３）と前記外箱（４）、即ち２つの前記ブランク（１７、２４）に単純に接着される請求項１に記載のタバコパケット（１）。
【請求項４】
前記接続タブ（３４）は、前記内箱（３）と前記外箱（４）とは異なる材料から作られている請求項１〜３のいずれか一項に記載のタバコパケット（１）。
【請求項５】
前記接続タブ（３４）は、前記内箱（３）が前記外箱（４）の内側に挿入された閉鎖位置にある時、折り畳んだ状態にあり、前記内箱（３）が前記外箱（４）から部分的に引き出された開放位置にある時、広がった状態にある請求項１〜４のいずれか一項に記載のタバコパケット（１）。
【請求項６】
前記内箱（３）が前記外箱（４）の内側に挿入された閉鎖位置にある時、前記接続タブ（３４）は“Ｚ”状に折り畳んだ状態にある請求項５に記載のタバコパケット（１）。
【請求項７】
前記内箱（３）が前記外箱（４）の内側に挿入された閉鎖位置にある時、前記接続タブ（３４）は“Ｕ”状に折り畳んだ状態にある請求項５に記載のタバコパケット（１）。
【請求項８】
前記接続タブ（３４）は、前記内箱（３）の前記外箱（４）からの引き出しを規制するストッパを形成する請求項１〜７のいずれか一項に記載のタバコパケット（１）。
【請求項９】
包装されたタバコの一群を含んだ少なくとも１つの内パッケージ（２）と、
前記内パッケージ（２）を収容する少なくとも１つの内箱（３）と、
前記内箱（３）を収容する外箱（４）であって、内箱（３）が前記外箱（４）の内側に挿入された閉鎖位置と、内箱（３）が外箱（４）から少なくとも部分的に引き出された開放位置との間で内箱（３）をスライドさせうる外箱（４）と、
前記内箱（３）の部分（３１；３２；９）を前記外箱（４）の対応した部分（１０；４３；１２）に機械的に接続する接続タブ（３４）と、を有するスライドオープンタバコパケット（１）を製造方法する方法であって、
内パッケージ（２）を形成する段階と、
内ブランク（１７）上に前記内パッケージ（２）を置く段階と、
前記内ブランク（１７）を前記内パッケージ（２）の周りで折り畳んで内箱（３）を形成する段階と、
前記内箱（３）を外ブランク（２４）上に置く段階と、
前記外ブランク（２４）を前記内箱（３）の周りで折り畳んで外箱（４）を形成する段階と
前記内箱（３）を外ブランク（２４）上に置く前に、前記接続タブ（３４）の外方端（３５）を前記外ブランク（２４）に接着するか、あるいは前記接続タブ（３４）の内方端（３６）を内箱（３）に接着する段階と、
前記内箱（３）を外ブランク（２４）上に置く際に、前記接続タブ（３４）の内方端（３６）を前記内箱（３）に接着するか、あるいは前記接続タブ（３４）の外方端（３５）を外ブランク（２４）に接着する段階とを有する、スライドオープンタバコパケット（１）を製造方法する方法において、
前記方法は、さらに、
前記接続タブ（３４）を開いた状態にして、前記接続タブ（３４）の外方端（３５）を前記外ブランク（２４）に接着するか、あるいは前記接続タブ（３４）の内方端（３６）を内箱（３）に接着する段階と、
前記接続タブ（３４）を開いた状態にして、前記内箱（３）を、その少なくとも一部分が外ブランク（２４）の外側になるような位置において外ブランク（２４）上に置く段階と、
前記外ブランク（２４）に対して内箱（３）を、内箱（３）が外箱（４）の内側に挿入される閉鎖位置に対応した位置へと移動して、前記接続タブ（３４）を折り畳む段階とを有することを特徴とする方法。
【請求項１０】
前記内箱（３）を外ブランク（２４）上に置く前に、前記接続タブ（３４）の外方端（３５）を前記外ブランク（２４）の対応パネル（１０’）に接着する段階と、
前記内箱（３）を外ブランク（２４）上に置く際に、前記接続タブ（３４）の内方端（３６）を前記内箱（３）の対応部分（３１；３２；９）に接着する段階とをさらに有する請求項９に記載の方法。
【請求項１１】
前記内箱（３）を外ブランク（２４）上に置く前に、前記接続タブ（３４）の内方端（３６）を前記内箱（３）の対応部分（３１；３２；９）に接着する段階と、
前記内箱（３）を外ブランク（２４）上に置く際に、前記接続タブ（３４）の外方端（３５）を前記外ブランク（２４）の対応パネル（１０’）に接着する段階とをさらに有する請求項９に記載の方法。
【発明の詳細な説明】
【技術分野】
【０００１】
本発明はスライドオープン式硬質タバコパケット、及びそれに関連した製造方法に関する。
【背景技術】
【０００２】
製造が容易でありかつ使い勝手も簡単で実用的であり、さらに内部のタバコを効果的に保護することで硬質のヒンジ蓋タバコパケットは現在、最も広く市販されている。
【０００３】
硬質のヒンジ蓋タバコパケットに加えて、一方の容器が他方の容器の内側に挿入されるような、部分的に分離可能な２つの容器を有したスライドオープン式硬質タバコパケットが提案されている。換言すれば、スライドオープン式硬質タバコパケットは内箱を有し、その内箱は、紙巻きタバコの一群を含んで外箱の内側に収容されると共に、外箱に対しては外箱の内側に挿入された閉鎖位置と外箱から引き出された開放位置との間でスライドする。内箱は外箱に対して真っ直ぐなスライドアウト動作（ストレートスライドオープンパケット）か、あるいは２つの容器を接続するヒンジ回りの回転（スイングオープンパケット）によって移動する場合がある。
【０００４】
ストレートスライドオープン式硬質タバコパケットのいくつかの実施形態が、ある特許文献に記載されている（例えば、特許文献１〜３参照。）。また、スイングオープン式硬質タバコパケットの２つの実施形態が、ある特許文献に記載されている（例えば、特許文献４及び５参照。）。
【０００５】
スライドオープン式硬質タバコパケットは通常、内箱の部分を外箱の部分に機械的に接続する少なくとも１つの接続部材を有している。その接続部材は、通常、内箱の戻りを規制して、それが外箱から一緒に分離するのを回避するストッパとして作用する。あるいは、その接続部材は、内箱と外箱の間の相対的運動を生かすことで、（内箱又は外箱にヒンジ結合された）蓋を“自動的に”即ち、ユーザーが実際に蓋に接する必要なしに開ける働きをする。
【０００６】
既知のスライドオープン式硬質タバコパケットでは、接続部材は常に、容器の一方の一体部分を形成する（即ち、容器に継ぎ目なく接続されると共に、容器を成すブランクに直接形成された）少なくとも１つの接続タブを有する。しかしながら、一方の容器の言った部分を形成する接続タブを使用することは様々な問題を引き起こす。
【０００７】
まず第１に、タバコパケットは閉鎖位置にある時、接続部材の接続タブは比較的厚い束へと折り畳んだ状態になる。それ故、一方の容器の一体部分を成す接続タブを使用する場合、接続タブを取り囲む２つの容器の壁同士は、一定の距離をおいた状態に保持されなければならず（言い換えれば、“不使用”の容積部分を設けなければならず）、結果として外箱容積を非効率的に使用することにもなる。
【０００８】
第２に、一方の容器の一体部分を成す接続タブを使用すると、通常ブランクの幅及び／又は長さを増加することで、対応するブランクを形成するのに必要な厚紙の量を大きく増やす。これに関連して、留意すべき大事なことは、ブランクは相も変わらず矩形のシートから穿孔され、ブランクを製造するのに必要な厚紙の量はブランクの実面積に依存せず、ブランクに外接する最小矩形の面積に依存するということである。
【先行技術文献】
【特許文献】
【０００９】
【特許文献１】仏国特許第２４９９９４７号
【特許文献２】米国特許第４５３４４６３号
【特許文献３】米国特許第５０８０２２７号
【特許文献４】国際公開第０３／０５３８１８号
【特許文献５】国際公開第２００６／０２１５８１号
【発明の概要】
【発明が解決しようとする課題】
【００１０】
本発明の目的は、上記欠点を解消するように設計されると共に、特に安価でかつ実施が容易なスライドオープン式硬質タバコパケット、及びそれに関連する製造方法を提供することにある。
【課題を解決するための手段】
【００１１】
本発明によれば、添付した特許請求の範囲によって請求されたスライドオープン式硬質タバコパケット、及びそれに関連する製造方法が提供される。
【００１２】
本発明の非限定的な幾つかの実施形態を、添付図面を参照する例によって説明する。
【図面の簡単な説明】
【００１３】
【図１】本発明の一部を成さないスイングオープン式硬質タバコパケットの全閉状態の斜視図である。
【図２】図１のタバコパケットの全開状態の斜視図である。
【図３】図１のタバコパケットが部分的に開いた状態の概略的前方図である。
【図４】明瞭化のために部品を取り除いた、図１のタバコパケットの上部分の前方図を示し、かつ内箱の蓋を開ける順番を示した図である。
【図５】明瞭化のために部品を取り除いた、図１のタバコパケットの上部分の前方図を示し、かつ内箱の蓋を開ける順番を示した図である。
【図６】明瞭化のために部品を取り除いた、図１のタバコパケットの上部分の前方図を示し、かつ内箱の蓋を開ける順番を示した図である。
【図７】図１のタバコパケットの内箱を形成するブランクの平面図である。
【図８】図１のタバコパケットの外箱を形成するブランクの平面図である。
【図９】パケット容器に接続タブを付ける、図１のタバコパケットを製造２段階の中の一つの概略図である。
【図１０】パケット容器に接続タブを付ける、図１のタバコパケットを製造２段階の中の一つの概略図である。
【図１１】本発明によるヒンジ蓋ストレートスライドオープン式硬質タバコパケットの閉鎖状態の前方斜視図である。
【図１２】図１１のタバコパケットの開放状態の前方斜視図である。
【図１３】図１１のタバコパケットの開放状態の後方斜視図である。
【図１４】明瞭化のために部品を取り除いた図１１のタバコパケットの上部分の概略的側方縦断面を示し、かつパケットを開ける順番を示した図である。
【図１５】明瞭化のために部品を取り除いた図１１のタバコパケットの上部分の概略的側方縦断面を示し、かつパケットを開ける順番を示した図である。
【図１６】明瞭化のために部品を取り除いた図１１のタバコパケットの上部分の概略的側方縦断面を示し、かつパケットを開ける順番を示した図である。
【図１７】図１１のタバコパケットの変形例の開放状態の後方斜視図である。
【図１８】明瞭化のために部品を取り除いた図１７のタバコパケットの上部分の概略的側方縦断面を示し、かつパケットを開ける順番を示した図である。
【図１９】明瞭化のために部品を取り除いた図１７のタバコパケットの上部分の概略的側方縦断面を示し、かつパケットを開ける順番を示した図である。
【図２０】明瞭化のために部品を取り除いた図１７のタバコパケットの上部分の概略的側方縦断面を示し、かつパケットを開ける順番を示した図である。
【図２１】本発明の一部を成さないストレートスライドオープン式硬質タバコパケットの閉鎖状態の前方斜視図である。
【図２２】図２１のタバコパケットの開放状態の前方斜視図である。
【図２３】図２１のタバコパケットの拡大斜視図である。
【図２４】明瞭化のために部品を取り除いた図２１のタバコパケットの概略的断面を示し、かつパケットを開ける順番を示した図である。
【図２５】明瞭化のために部品を取り除いた図２１のタバコパケットの概略的断面を示し、かつパケットを開ける順番を示した図である。
【発明を実施するための形態】
【００１４】
図１〜図３の参照番号１は、本発明の一部を成さないスイングオープン式硬質タバコパケット全体を示している。
【００１５】
図１〜図３のタバコパケット１は、２つの内パッケージ２（図２）、各々が、対応する内パッケージ２を収納する２つの平行六面体状の硬質の内箱３、及び内箱３を収納する平行六面体状の硬質の外箱４、を有する。夫々の内パッケージ２は、多数の並んだ列を成して配置された紙巻きタバコの一群、及びその紙巻きタバコ群の周りに巻かれてそれを完全に同封する１枚のホイル包装材、を有する。各内箱３は、外箱４にヒンジ結合され、外箱４に対しては、内箱３が外箱４の内側に完全に挿入された閉鎖位置（図１）と、内パッケージ２へのアクセスを可能にするために内箱３が外箱４から部分的に引き出された開放位置（図２）との間で回転する。
【００１６】
各内箱３は、平行六面体でかつカップ状であり、内パッケージ２にアクセスを可能にするための開口上端５、その開口上端５の反対側にある下壁６、前壁７、その前壁７に平行に向かい合う後壁８、及び向かい合った２つの平行側壁９、を有する。
【００１７】
外箱４もまた、平行六面体状であり、上壁１０、その上壁１０に平行に向かい合った下壁１１、向かい合った平行側壁１２、及びこの部分を通って夫々の内箱３が外箱４から開放位置へと引き出されたり、外箱４内の閉鎖位置へと挿入されるような、向かい合った２つの開口端１３、を有する。
【００１８】
各内箱３は、内箱３の下壁６の端縁と外箱の下壁１１の端縁の近くに位置する接続ヒンジ１４によって外箱４にヒンジ結合されており、これら両端縁は共に外箱４の開口端１３に位置する。より具体的には、各ヒンジ１４は、外箱４の開口端１３において、内箱３の下壁６の端縁と外箱の下壁１１の端縁から所定の距離をおいて配置され、即ち、内箱３の底部横方向端縁と外箱４の底部横方向端縁から所定距離を隔てて配置されている。
【００１９】
好ましい実施形態では、閉鎖位置で前壁７が外箱４の各開口端１３を完全に閉じるように、各内箱３の後壁８は前壁７よりも低くなっており、後壁８は、外箱４の上壁１０と干渉することで外箱４に対しての内箱３の接続ヒンジ１４回りの回転を妨げるようなことはない。また、各内箱３の各側壁９の上部分は、前壁７を後壁８へと円滑に接続して高さの差を解消するように輪郭取られている。
【００２０】
タバコのパケット１は、外箱４からの各内箱３の引き出しに制限をかけて内箱３が外箱４からそっくり外れてしまうのを防止するためのストッパを有する。各内箱３に対し、そのストッパは、側壁９から内箱３の外側に突出して内箱３の後壁８近くに位置する２つの保持タブ１５、及び側壁１２から外箱４の内側に突出して外箱４の開口端１３近くに位置する２つの保持ポケット１６、を有する。実際の使用にあって、外箱４に対して内箱３が接続ヒンジ１４回りに閉鎖位置から開放位置へと回転する際、各保持タブ１５は、内箱３の引き出しを止めるために、各保持ポケット１６の内側でスライドする。
【００２１】
内箱３を開放位置へと動かすために、タバコパケット１のユーザーは、一方の手で外箱４をつかみ、他方の手で内箱３をつかむことにより、外箱４に対して内箱３を動かさなければならない。図１及び図２に示したように、内箱３を簡単につかめるように、外箱４の各側壁１２には各開口端１３の近くに、タバコパケット１のユーザーにつかませ各内箱３の側壁９に引く力を課させるための凹部が設けられる。
【００２２】
図１〜図３の実施形態では、タバコパケット１は２つの内箱３を有しており、その夫々は外箱４の内部に収容され、開放位置と閉鎖位置との間で回転するように接続ヒンジ１４に沿って外箱４にヒンジ結合されている。図示しない別の実施形態では、タバコパケット１は、外箱４の内側に収容されかつ開放位置と閉鎖位置との間で回転するように接続ヒンジ１４に沿って外箱４にヒンジ結合された１つの内箱３を有する。この場合、外箱４は、図１〜図３の実施形態の外箱４の半分のサイズであり、外箱４の２つの開口方端１３の一方は追加の側壁によって閉じられる。
【００２３】
図２及び図３に示すように、夫々の内箱３は、蓋ヒンジ３０に沿って内箱３にヒンジ結合されかつ内箱３に対して開口上端５を開閉する開放位置と閉鎖位置との間を回転する蓋２９を有する。
【００２４】
各蓋２９は、蓋２９が閉鎖位置にある時に内箱３の下壁６と平行に向かい合う矩形の上壁３１、蓋２９が閉鎖位置にある時に内箱３の後壁８の延長部分を成す矩形の後壁３２、及び蓋２９が閉鎖位置にある時に内箱３の側壁９の延長部分を成す２つの三角側壁３３、を有する。各蓋２９のヒンジ３０は、内箱３の後壁８の上端縁を蓋２９の後壁３２の下端縁に接続する。
【００２５】
夫々の内箱３に対して、タバコパケット１は、内箱３の一部分を外箱４の一部分に機械的に接続し、内箱３と外箱４の間の相対運動を生かすことで“自動的に”（即ち、ユーザーが実際に蓋２９に触れることなく）蓋２９を開けるための接続部材を有する。図４、図５及び図６に示すように、ユーザーが直接、蓋２９に実際に触れることなく、外箱４に対する内箱３の移動によって蓋２９を動かせるように、各接続部材は、関係のある内箱３の蓋２９を外箱４に接続する接続タブ３４を有する。言い換えるならば、接続タブ３４を設けたことにより、各蓋２９は、対応する内箱３を動かすことで“自動的に”開く。
【００２６】
各接続タブ３４は、外箱４の上壁１０に恒久的に接続された外方端３５、及びその外方端３５とは反対側にあって関係した内箱３の蓋２９の上壁３１に恒久的に接続された内方３６を有する。各接続タブ３４は、関係する内箱３が外箱４の内側に挿入された閉鎖位置にある時、折り畳んだ状態となり（図４に示す）、関係する内箱３が外箱４から部分的に引き出された開放位置にある時、広がった状態となる（図６に示す）。より詳しく言えば、内箱３が外箱４の内側に挿入された閉鎖位置（図４）にある時、接続タブ３４は“Ｚ”状に折り畳まれ、蓋２９の上壁３１と外箱４の上壁１０との間にすっぽりと収納される。
【００２７】
各接続タブ３４は、初めは外箱４の上壁１０から分離され、外箱４の上壁１０（又は、以下に詳細に述べるが上壁１０の対応補強フラップ２７）に単純に接着される。
【００２８】
好ましい実施形態では、各接続タブ３４はかなり柔軟性のある変形可能なプラスチック材から形成され、重大な歪（即ち、疲労破壊）無しに１８０°までも繰り返し折り畳むことが可能である。言い換えれば、各接続タブ３４は、一方の側で（外方端３５で）外箱４の上壁１０に接着されかつ反対側で（内方端３６で）関係する蓋２９の上壁３１に接着された一片のプラスチック材料から形成される。言うまでもなく、各接続タブ３４もまた、紙や多層材（例えば、プラスチックと紙材からなるもの）から作られるようにしても良い。
【００２９】
図４、図５及び図６の実施形態において、２つの接続タブ３４は外方端３５で結合されるようにしても良く（図９及び図１０に示す）、２つの接続タブ３４を外方端３５で接続して一体物（即ち、１つの材料片）としても良い。
【００３０】
接続タブ３４は蓋２９を“自動的”に開放することだけに作用し、外箱４から内箱３の引き出しはストッパによってのみ（即ち、保持ポケット１６に協働する保持タブ１５によって）制限（阻止）されるということに留意することが重要である。それ故、各接続タブ３４は、関係する内箱３がストッパによってもたらされる“限界”を超えた場合、ちょうと完全に広がるように設計されている。ストッパの保持作用により、各接続タブ３４は決して完全には広がらず、関係する内箱３の引き出しに決して制限を与えず、引き裂さかれるような恐れはない。
【００３１】
図７に示すように、各内箱３は、平坦で実質上長方形の内ブランク１７を折り畳むことにより形成されるが、その各部分は、内箱３の対応部分に関して可能な限り、同じ参照番号に上付き指標を付して示してある。
【００３２】
内ブランク１７は、２本の縦方向折り線１８と、縦方向折り線１８との間で、後壁８を形成するパネル８’、下壁６を形成するパネル６’、及び前壁７を形成するパネル７’、を形成する多数の横方向折り線１９とを有する。
【００３３】
パネル７は、横方向折り線１９に沿ってパネル７’に接続された補強フラップ２０を有し、同フラップはパネル７’上に１８０°に折り畳まれて前壁７の上部を補強する。
【００３４】
パネル８’は、側壁９の夫々の内側部分を形成すると共にパネル８’の両側に配置され、かつ縦方向折り線１８によりパネル８’から分離された２つの側方ウイング９’を有する。パネル７’は、側壁９の夫々の外側部分を形成すると共にパネル７’の両側に配置され、かつ縦方向折り線１８によりパネル７’から分離された２つの側方ウイング９”を有する。パネル８’の各側方ウイング９’は横方向折り線１９によって側方ウイング９’から分離されたタブ２１を有し、それは側方ウイング９’に対して９０°折り畳まれて最終的にはパネル６’の内面に固定される。各側方ウイング９’には夫々、保持タブ１５を含んだ窓２２が形成される。さらに、各側方ウイング９”は、最終的には各保持タブ１５に重なるように配置された凹部２３を有する。
【００３５】
内ブランク１７もまた、蓋２９の後壁３２を形成すると共に蓋ヒンジ３０に沿ってパネル８’に接続されるパネル３２’、蓋２９の上壁３１を形成するパネル３１’、及び蓋２９の側壁３３を形成する２つの側方ウイング３３’、を備える。各側方ウイング３３’は、側方ウイング３３’に対して９０°に折り曲げられパネル３１’の内面に固定されるタブ３７を有する。
【００３６】
図８に示すように、外箱４は、平坦で実質上長方形の外ブランク２４を折り畳むことにより形成されるが、その各部分は、外箱４の対応部分に関して可能な限り、同じ参照番号に上付き指標を付して示してある。
【００３７】
外ブランク２４は、２本の縦方向折り線２５と多数の横方向折り線２６を有し、それら横方向折り線２６は縦方向折り線２５との間で、下壁１１の内側部分を形成するパネル１１’、一方の側壁１２を形成するパネル１２’、上壁１０を形成するパネル１０’、他方の側壁１２を形成するパネル１２”、及び下壁１１の外側部分を形成するパネル１１”、を形成している。
【００３８】
パネル１０’は、パネル１０’の両側に位置して縦方向折り線２５によってパネル１０’から分離される２つの補強タブ２７を有し、同タブは１８０°折り曲げられ、パネル１０’上に接着されて上壁１０を補強する。
【００３９】
パネル１２’、１２”は夫々、２つの保持ポケット１６を有し、同ポケットはパネル１２’の両側に位置すると共に縦方向折り線２５によってパネル１２’、１２”から分離され、かつ１８０°折り曲げられてパネル１２’、１２”上に接着される。
【００４０】
パネル１１’は、パネル１１’の両側に位置すると共に縦方向折り線２５によってパネル１１’から分離され、かつパネル１１’上へと１８０°折り曲げられる２つの接続タブ２８を有する。夫々の接続タブ２８は、各内箱３の下壁６に接着され、内箱３を外箱４にヒンジ結合する。
【００４１】
図１１、図１２及び図１３の参照番号１は、本発明の部分を成すストレートスライドオープン式硬質タバコパケット全体を示している。
【００４２】
図１１のタバコパケット１は、内パッケージ２（紙巻きタバコの一群を有し、図１２では概略的に示す）、内パッケージ２を実際に収納する硬質の内箱３、及び硬質の外箱４、を有する。その外箱は、内箱３を収納すると共に、内箱３が外箱４内に完全に挿入された閉鎖状態（図１１）と、内パッケージ２へのアクセスを可能にするために内箱３が外箱４から部分的に引き出された開放状態（図１２及び図１３）との間で内箱３を外箱４に対して並進スライドさせうる。
【００４３】
内箱３は、矩形断面の平行六面体状に形成され、開口上端５を有してカップ状に形成される。内箱３は、蓋ヒンジ３０に沿って内箱３にヒンジ結合されて内箱３に対し、開口上端５を開閉する開放位置（図１２及び図１３）と閉鎖位置（図１１）との間を回転するカップ状蓋２９を有する。
【００４４】
内箱３は、開口上端５とは反対側の下壁、互いに平行に向かい合った前壁７と後壁８、及び壁７、８の間に挟まれた２つの平行側壁９、を備える。
【００４５】
蓋２９はカップ状であり、上壁３１（蓋２９が閉じられた際、内箱３の下壁と平行に向かい合う）、蓋ヒンジ３０によって内箱３の後壁８に接続された後壁３２、及び２つの平行側壁３３、を有する。
【００４６】
外箱４は、矩形断面を有する平行六面体状でかつカップ状であり、開口上端１３の反対側の下壁１１、互いに平行に向かい合う前壁４２と後壁４３、及び壁４２、４３間に挟まれた２つの平行側壁１２、を有する。
【００４７】
図１１及び図１２に示すように、外箱４の前壁４２は、内箱３を閉鎖状態と開放状態の間で押すべく内箱３の前壁７へのアクセスを可能にする貫通窓４４を有している。
【００４８】
タバコパケット１は、内箱３の一部分を外箱４の一部分に機械的に接続して、内箱３と外箱４の間の相対運動によって“自動的に”即ちユーザーが実際に蓋２９に接する必要なしに蓋２９を開けるための接続部材を有する。しかるが故に、ユーザーは、“自動的に”回転される蓋２９に触れることなく、外箱４に対して内箱３をスライドさせるのに十分なスラスト力を課す必要がある。このタバコパケット１の実施形態では、接続部材はまた、外箱４からの内箱３の引き出しを規制し、それを拒む作用がある。
【００４９】
図１３〜図１６に示すように、接続部材は、内箱３の蓋２９を外箱４に接続する接続タブ３４を有することで、外箱に対する内箱３の移動はまた、ユーザーが実際に蓋２９に触れることなく蓋２９を移動する。言い換えれば、接続タブ３４は、内箱３を移動させることで蓋２９の“自動的な”開口をもたらし、同時に外箱４からの内箱３の引き出しを阻止している。
【００５０】
図１３〜図１６に示すように、接続タブ３４は、蓋２９の後壁３２を外箱４の後壁４３に接続する。より具体的には、接続タブ３４の外方端３５は外箱４の後壁４３に恒久的に接続され、外方端３５の反対側にある内方端３６は内箱３の蓋２９の後壁３２に恒久的に接続される。接続タブ３４は、内箱３が外箱４の内側に挿入される閉鎖位置にある時、折り畳んだ状態となり（図１４に示す）、内箱３が外箱から部分的に引き出された開放位置にある時、広がった状態となる（図１６に示す）。より具体的には、内箱３が外箱４の内側に挿入された閉鎖位置（図１４）にある時、接続タブ３４は“Ｚ”状態に折り畳まれる。
【００５１】
図１３〜図１６の実施形態では、接続タブ３４の外方端３５は外箱４の後壁４３の外面に接着される。図１７〜図２０の実施形態（作動の観点から、図１３〜図１６の実施形態と全く等価である）では、接続タブ３４の外方端３５は外箱４の後壁の内面に接着される。
【００５２】
図１〜図６のタバコパケット１の接続タブ３４のように、図１１〜図２０にあるタバコパケット１の接続タブ３４は、当初は容器３、４から（即ち、対応するブランクから）分離された状態にあり、単に容器３、４に（即ち、対応するブランクに）接着される。同様に、接続タブ３４は、重大な歪（即ち、疲労破壊）を生じることなく１８０°までも繰り返し折り畳むことができる、かなり柔軟性のある変形可能なプラスチック材から形成されることが好ましい。言い換えれば、接続タブ３４は、一方の側で（外方端３５で）外箱４の後壁４３に接着され、反対側で（内方端３６で）蓋２９の後壁３２に接着される一片のプラスチック材料から形成される。言うまでもなく、接続タブ３４もまた、紙や多層材（例えば、プラスチックと紙材からなるもの）から作られるようにしても良い。
【００５３】
図示された実施形態では、蓋２９は、内箱３の後壁８にヒンジ結合される。図示しない別の実施形態では、蓋２９は外箱４の後壁４３にヒンジ結合され、その場合、接続タブ３４は裏返しにされる。
【００５４】
図２１〜図２３での参照番号１は、本発明の部分を構成しないストレートスライドオープン式硬質タバコパケット全体を示している。
【００５５】
図２１のタバコパケット１は、内パッケージ２（紙巻きタバコの一群を有する）、内パッケージ２を収納する内箱３、及び外箱４、を有する。外箱は、内箱３が外箱４内に完全に挿入された閉鎖状態（図２１）と、ユーザーが直接、内パッケージ２へアクセスできるように内箱３が外箱４から部分的に引き出された開放状態（図２２）との間で、内箱３が外箱４に対して真っ直ぐにスライドできるように内箱３を収容する。
【００５６】
図２３に示すように、内箱３は平行六面体状に形成され、下壁６、上壁４５、互いに平行に向かい合った前壁７と後壁８、及び前壁７と後壁８挟まれた対向する２つの平行側壁９、を有する。上壁４５は前壁７の近傍に開口上端５を有し、その上端はまた、側壁９の一部分まで及ぶと共に、内箱３が開放位置にある時、外箱４の外側に位置し、内パッケージ２を最初に開放した後にユーザーが内箱３からタバコ（図示せず）を引き出すのを可能にしている。
【００５７】
図２３に示すように、外箱４も平行六面体形状であり、上壁１０、下壁１１、向かい合った２つの平行側壁１２、後壁４６、及び後壁４６とは反対側にあって、この部分を介して内箱３がスライドするような開口端１３、を有する。外箱４の後壁４６には、内箱３を開放位置へとスライドさせるために、ユーザーが後壁４６を介して内箱３の後壁８に圧力を与えることができる形や大きさの中央孔が設けられる。
【００５８】
タバコのパケット１は、内箱３の一部分を外箱４の一部分に機械的に接続し、外箱４からの内箱３の引き出しを規制するための接続部材を有する。言い換えるならば、タバコパケット１の本実施形態においてもまた、接続部材は内箱３の引き出しに規制をかけ、内箱が外箱４からすっぽり外れてしまうのを防止する。
【００５９】
図２４及び図２５に示すように、接続部材は、内箱３の両側に位置する２つの接続タブ３４を有し、その各々は内箱３の側壁９を外箱４の側壁１２に接続している。具体的には、各接続タブ３４の外方端３５は外箱４の対応側壁１に恒久的に接続され、外方端３５とは反対側にある内方端３６は内箱３の対応側壁９に恒久的に接続される。夫々の接続タブ３４は内箱３が外箱４の内側に挿入された閉鎖位置にある時、折り畳んだ状態にあり（図２４に示す）、内箱３が外箱４から部分的に引き出された開放位置にある時には広がった状態になる（図２５に示す）。より具体的に言えば、内箱３が外箱４の内側に挿入された閉鎖位置（図２４）にある時、各接続タブ３４は“Ｕ”字状に折り畳んだ状態になる。
【００６０】
図１〜図６のタバコパケット１の接続タブ３４のように、図２１〜図２４にあるタバコパケット１の接続タブ３４は初め容器３、４から（即ち、対応するブランクから）分離され、単に容器３、４に（即ち、対応するブランクに）接着される。同様に、各接続タブ３４は、重大な歪（即ち、疲労破壊）を生じることなく１８０°までも繰り返し折り畳めるように、かなり柔軟性のある変形可能なプラスチック材から形成されることが好ましい。言い換えれば、各接続タブ３４は、一方の側で（外方端３５で）外箱４の対応側壁１２に接着されかつ反対側で（内方端３６で）内箱３の対応側壁９に接着された一片のプラスチック材料から形成される。言うまでもなく、各接続タブ３４もまた、紙や多層材（例えば、プラスチックと紙材からなるもの）から作られるようにしても良い。
【００６１】
上述したタバコのパケット１には数多くの利点がある。
【００６２】
まず第１に、各接続タブ３４が初めはブランク１７、２４から分離されているという事実がブランク１７及び２４の幅を減少させ、以てブランク１７、２４を打ち抜く際に生じる廃材の量を大幅に減少させて梱包材料費を削減しているということである。
【００６３】
第二に、初めブランク１７、２４から分離された形で、各接続タブ３４は容器３、４（即ち、ブランク１７、２４）とは異なる材料（その機能により適したもの）で作ることができる。これに関連して、接続タブ３４は通常、容器３、４（即ち、ブランク１７、２４）の材料よりもはるかに薄いことに留意することが重要である。
【００６４】
第三に、上述したタバコパケット１は、容器３、４を接続するために特別に設計されたプラスチック材からなる非常に薄い（即ち、容器３、４の材料よりもはるかに薄い）接続タブ３４を用いることで、外箱の容積を有効に生かしている。
【００６５】
最後に、上述したタバコパケット１は、類似した標準的なタバコパケットにちょっとした小規模の変更だけを含ませることで安価でかつ製造が容易である。
【００６６】
図１〜図６に示して上述したタバコパケット１の製造方法について、図９及び図１０を参照して以下、説明する。
【００６７】
その方法は、２つの内パッケージ２を形成すること、各内パッケージ２を夫々の内ブランク１７上に置くこと、内パッケージ２の周りで各内ブランク１７を折り畳んで対応する内箱３を形成すること、２つの内箱３を外ブランク２４上に置くこと、及び内箱３の周りで外ブランク２４を折り畳んで外箱４を形成すること、からなる。
【００６８】
図９に示すように、２つの接続タブ３４は、内箱３を外ブランク２４に置く前に、外方端３５において接合され、接続タブ３４の外方端３５は同時に接着剤４０により、補強フラップ２７を挟んだ状態で、外ブランク２４のパネル１０’（外箱４の上壁１０を形成する）に接着される。次に、図１０に示すように、外ブランク２４上に内箱３を置く際に、各接続タブ３４の内方端３６は、接着剤４１によって、各内箱３の蓋２９の上壁３１に接着される。
【００６９】
代わりとなる等価の実施形態では、外ブランク２４上に内箱３を載せる前に、各接続タブ３４の内方端３６は接着剤４１によって蓋２９の上壁３１に接着される。そして、外ブランク２４上に内箱３を載せる際に、接続タブ３４の外方端３５は、接着剤４０によって補強フラップ２７を挟んだ形で外側ブランク２４のパネル１０’（外箱４の上壁１０を形成する）に同時接着される。
【００７０】
図１０に示すように、接続タブ３４が完全に折り畳まれている間に、接続タブ３４の外方端３５は、接着剤４０により（補強フラップ２７を挟んだ状態で）外ブランク２４のパネル１０’に接着される。次に、図１０に示すように、接続タブ３４が広がった状態にある間に蓋２９の上壁３１を接続タブ３４の内方端３６に接着するべく、各内箱３が、少なくとも部分的に外ブランク２４の外側となる（ブランクに平行な）位置において部分的に予め折り畳まれた外ブランク２４上に置かれる（即ち、外ブランク２４上にすっぽり置くのとは対照的に、内箱３が外ブランク２４に対して平行となるような状態、場合によっては若干重なり合う形で配置される）。最終的には、各内箱３は、外ブランク２４上にすっぽりと置かれるように（即ち、内箱３が外箱４の内側に挿入される閉鎖位置に対応した位置に）、さらに接続タブ３４を折り畳むように、外ブランク２４に対して移動（並進移動）される（図１０の位置から、２つの内箱３が外ブランク２４の内側へと互いに向かい合うようにして押し込まれる）。
【００７１】
一旦、２つの内箱３が外ブランク２４の内側へと（即ち、閉鎖位置に対応した位置に）押し込まれたならば、外ブランク２４は２つの内箱３の周りで完全に折り畳まれ、タバコパケット１が完成する。
【００７２】
図９に示すように、２つの内箱３が外ブランク２４上に置かれる前に、パネル１０’ は （パネル１２’、１１’と共に）、パネル１２”に対し、対応する横方向折り線２６の回りで９０°折り畳まれる。パネル１２”に対してパネル１０’を（パネル１２’、１１’と共に）９０°折り畳む前に、２つの接続タブ３４の外方端３５は、外ブランク２４のパネル１０’に（補強フラップ２７を挟んだ形で）接着されることが好ましい。
【００７３】
接着剤４０及び／又は接着剤４１は、使用直前に（即ち、接続タブ３４の端部３５、３６がパネル１０’の補強タブ２７、又は蓋２９の上壁３１に当てられる直前に）“新鮮”な状態で塗布されるようにしても良い。あるいは（相当以前から）事前に塗布して使用前に完全に乾かし、必要に応じて（即ち、接続タブ３４の端部３５又は３６をパネル１０’の補強フラップ２７や蓋２９の上壁３１に当てた後に）加熱することで活性化するようにしても良い。
【００７４】
図１〜図６に示したタバコパケット１を参照しながら説明したけれども、上記製造方法は、図１１〜図１６や図２１〜図２５のタバコパケット１を製造するのと全く同じ方法でも使用することができるというに留意することが大事である。
【００７５】
上述した製造方法には数多くの利点がある。
【００７６】
まず第１に、その方法によれば、記述したタバコパケット１を迅速かつ正確に製造することができる。
【００７７】
第２に、その方法は、既存の包装機械を用いたとしても、数少ない軽微な変更のみで安価かつ容易に実施することができる。
【図１】
2015516343.tif 000003
【図２】
2015516343.tif 000004
【図３】
2015516343.tif 000005
【図４】
2015516343.tif 000006
【図５】
2015516343.tif 000007
【図６】
2015516343.tif 000008
【図７】
2015516343.tif 000009
【図８】
2015516343.tif 000010
【図９】
2015516343.tif 000011
【図１０】
2015516343.tif 000012
【図１１】
2015516343.tif 000013
【図１２】
2015516343.tif 000014
【図１３】
2015516343.tif 000015
【図１４】
2015516343.tif 000016
【図１５】
2015516343.tif 000017
【図１６】
2015516343.tif 000018
【図１７】
2015516343.tif 000019
【図１８】
2015516343.tif 000020
【図１９】
2015516343.tif 000021
【図２０】
2015516343.tif 000022
【図２１】
2015516343.tif 000023
【図２２】
2015516343.tif 000024
【図２３】
2015516343.tif 000025
【図２４】
2015516343.tif 000026
【図２５】
2015516343.tif 000027
【手続補正書】
【提出日】平成27年1月14日(2015.1.14)
【手続補正１】
【補正対象書類名】明細書
【補正対象項目名】０００４
【補正方法】変更
【補正の内容】
【０００４】
ストレートスライドオープン式硬質タバコパケットのいくつかの実施形態が、ある特許文献に記載されている（例えば、特許文献１〜３参照。）。また、スイングオープン式硬質タバコパケットの２つの実施形態が、ある特許文献に記載されている（例えば、特許文献４及び５参照。）。
また、ある特許文献には、２つのタバコ群と、２つのタバコ群を収容する２つの内箱、これら２つの内箱を収容すると共に２つの開口側方端を有する外箱、内箱を外箱に接続すると共に、内箱を、外箱の内側に挿入された閉鎖位置と外箱から少なくとも部分的に引き出された開放位置との間で回転させうる２つのヒンジ、及び、横方向折り線に沿って外箱の底壁に接続されかつ外箱の底壁へ横方向折り線回りで１８０°折られて各内箱の底壁の外面に接着されている、２つの接続タブを有している、スイングオープン式の硬質タバコパケットが記載されている（例えば、特許文献６参照。）。
【手続補正２】
【補正対象書類名】明細書
【補正対象項目名】０００９
【補正方法】変更
【補正の内容】
【０００９】
【特許文献１】仏国特許第２４９９９４７号
【特許文献２】米国特許第４５３４４６３号
【特許文献３】米国特許第５０８０２２７号
【特許文献４】国際公開第０３／０５３８１８号
【特許文献５】国際公開第２００６／０２１５８１号
【特許文献６】欧州特許第２０１７１９８号
【国際調査報告】
2015516343.tif 000028
2015516343.tif 000029